(57)【要約】      （修正有）【課題】輪状にして使用するセパレーターテープ付き情報表示テープに関し、比較的安価で、容易にセパレーターテープを剥すことができ、印刷面を汚損あるいは破損しにくい、接着テープの提供。【解決手段】片面の一部分に印刷表示５ａされ反対面の全体に接着剤２が塗布されている情報表示テープ１ａ，１ｂと接着剤を覆うセパレーターテープ３ａ，３ｂとを長手方向にずらして積層してなる接着テープをセパレーターテープの長手方向の端で相互に部分止めして接続してなる連続接着テープとする。【選択図】図１
2020143234.tif 000002
【特許請求の範囲】
【請求項１】
片面の一部分に印刷表示され、反対面の全体に接着剤が塗布されている情報表示テープと前記接着剤の大部分を覆うセパレーターテープとを長手方向にずらして積層してなる接着テープ。
【請求項２】
片面の全体に接着剤が塗布され、同一面の一部分にＩＣチップを付着されている情報表示テープと前記接着剤の大部分を覆うセパレーターテープとを長手方向にずらして積層してなる接着テープ。
【請求項３】
前記情報表示テープと前記セパレーターテープとを長手方向にずらして積層することにより生ずるのりしろ幅Ｗが前記情報表示テープの長さＬの０．０３〜０．１％であることを特徴とする請求項１または２に記載の接着テープ。
【請求項４】
前記情報表示テープと前記セパレーターテープとを長手方向にずらして積層することにより生ずるのりしろ幅Ｗが５〜１５ｍｍであることを特徴とする請求項１または２に記載の接着テープ。
【請求項５】
請求項１から４までのいずれか1項に記載の接着テープを前記セパレーターテープの長手方向の端で相互に部分止めして接続してなる連続接着テープ。
【請求項６】
請求項１から４までのいずれか1項に記載の接着テープを前記情報表示テープの長手方向の端で相互に部分止めして接続してなる連続接着テープ。
【請求項７】
前記部分止めが一点止めである請求項５または６に記載の連続接着テープ。
【発明の詳細な説明】
【技術分野】
【０００１】
本発明は、接着テープ及び連続接着テープに関し、特にセパレーターテープ付きの接着テープに関する。連続接着テープは２枚以上の接着テープが長手方向に連続しているものであり、ロール状の連続接着テープもファンフォールド状の連続接着テープも含む。
【背景技術】
【０００２】
従来のセパレーターテープ付きの接着テープは、接着すべき部分にだけ接着剤を塗布し、その他の部分には、「糊殺し」と称して、接着剤を塗布していないあるいは一度接着剤を全面に塗布した後に部分的に接着剤を除去している。図２において、情報表示テープ１ｃ、１ｄの片面には情報表示５ｃ、５ｄがあり、その反対面の先端近くと後端近くにのみ接着剤２ａ、２ｂ、２ｃが塗布されている。そして、セパレーターテープ３によって接着剤２ａ、２ｂ、２ｃは被覆されている。
【０００３】
例えば、傷絆創膏においては、片面の周囲には接着剤を塗布し、同じ面の他の部分は、ガーゼ部であるが、接着剤が塗布されていない。
【０００４】
また、飛行場の搭乗カウンターで手荷物の取っ手に輪状に取り付ける接着テープにおいては、図５に示すように一定長さの情報表示テープ１ｃの長手方向の先端近くと後端近くにのみに接着剤２ａ、２ｂを塗布し、不図示の長尺のセパレーターテープによって接着剤２ａ、２ｂを被覆している。搭乗者の情報や搭乗飛行機の情報や搭乗カウンターの情報に関連する文字、数字、記号とともにバーコードを印刷テープと引き換え片に印刷した後に、印刷テープと引き換え片をセパレーターテープから剥ぎ取り、印刷済みの情報表示テープを図６に示すように輪状にして手荷物の取っ手に取り付け、引き換え片をパスポートに貼って搭乗者に渡す。図６において、情報表示テープ１ｃの接着剤２ａ、２ｂが塗布されている面を内側にして輪に曲げて、接着剤２ａ、２ｂを接着する。すると、情報表示５ｃが外側になる。
【０００５】
粉末体や粒状体の荷物を保管・運搬するための袋状の包材（フレキシブルコンテナバッグ、略してフレコン）の取っ手にも図５に示すような一定長さの情報表示テープを図６に示すように輪状にして接着剤どうしを接着して取り付け使用している。
【発明の概要】
【発明が解決しようとする課題】
【０００６】
輪状にして使用する情報表示テープは、上記のように、長手方向の先端近くと後端近くのみに接着剤を塗布し、他の部分には接着剤を塗布しない、いわゆる「糊殺し加工」が施している。
【０００７】
しかしながら、「糊殺し加工」は全面接着剤塗布に比べて製造工程が煩雑であり製造コストがはるかに高く問題である。
【０００８】
また、従来の「糊殺し加工」した接着テープからセパレーターテープを剥すには指先の繊細な作業を必要とする。屋外で手袋をつけたまま作業する場合には、うまくセパレーターテープを剥すことができず、時には、印刷部分を汚したり破いたりしてしまう。
【０００９】
したがって、比較的安価であり、屋外の手袋を付けたままの作業であっても、容易にセパレーターテープを剥すことができ、印刷面を汚損あるいは破損しにくい、新たな接着テープを提供することが本発明の目的である。
【課題を解決するための手段】
【００１０】
前記目的は、請求項１に記載の第１の本発明、すなわち、片面の一部分に印刷表示され、反対面の全体に接着剤が塗布されている情報表示テープと前記接着剤の大部分を覆うセパレーターテープとを長手方向にずらして積層してなる接着テープによって、達成される。なお、情報表示テープの幅Ｗ１とセパレーターテープの幅Ｗ２とはほぼ同一であっても良い。あるいは、情報表示テープの幅Ｗ１はセパレーターテープの幅Ｗ２よりも狭くても良い。
【００１１】
前記目的は、請求項２に記載の第２の本発明、すなわち、片面の全体に接着剤が塗布され、同一面の一部分にＩＣチップを付着されている情報表示テープと前記接着剤の大部分を覆うセパレーターテープとを長手方向にずらして積層してなる接着テープによっても、達成される。なお、情報表示テープの幅Ｗ１とセパレーターテープの幅Ｗ２とはほぼ同一であっても良い。あるいは、情報表示テープの幅Ｗ１はセパレーターテープの幅Ｗ２よりも狭くても良い。
【００１２】
前記目的は、請求項５に記載の第３の本発明、すなわち、請求項１から４までのいずれか1項に記載の接着テープを前記セパレーターテープの長手方向の端で相互に部分止めして接続してなる連続接着テープによっても、達成される。
【００１３】
前記目的は、請求項６に記載の第４の本発明、すなわち、請求項１から４までのいずれか1項に記載の接着テープを前記情報表示テープの長手方向の端で相互に部分止めして接続してなる連続接着テープによっても、達成される。
【発明の効果】
【００１４】
本発明に係る連続接着テープを長手方向に引っ張って、相互のセパレーターテープを接続する部分止めを引きちぎる際に、部分止めの近傍において、セパレーターテープと接着剤との間に大きなせん断力(shear force)が作用するが、情報表示テープは予め互いにスリットされ切断分離されているので、情報表示テープと接着剤との間にはあまり大きなせん断力は作用しない。その結果、部分止めの近傍において、セパレーターテープと接着剤とが分離するが、情報表示テープの一部分には接着剤が付着したままとなり、露出して、幅Ｗののりしろが生じる。
【００１５】
なお、長さ約２４ｃｍの情報表示テープについては、長手方向にずらす寸法が１５ｍｍ以上であるとセパレーターテープが剥離しにくく、５ｍｍ以下であるとのりしろ幅が少なすぎ使用時に接着が不十分であることを本発明者は見出した。
【００１６】
同様に、本発明に係る連続接着テープを長手方向に引っ張って、相互の情報表示テープを接続する部分止めを引きちぎる際に、部分止めの近傍において、セパレーターテープと接着剤との間に大きなせん断力が作用する。その結果、部分止めの近傍において、セパレーターテープと接着剤とが分離するが、情報表示テープの一部分には接着剤が付着したままとなり、露出して、幅Ｗののりしろが生じる。
【００１７】
本発明に係る接着テープは、情報表示テープの反対面の全面に接着剤を塗布しても、セパレーターテープが長手方向にずらして積層されているので、情報表示テープの一端の所定幅の部分だけ接着剤が露出し、他の部分はセパレーターテープによって接着剤が被覆されているので、接着テープの所定幅ののりしろ部分だけで接着できるが、接着テープの他の部分では接着できない。
【図面の簡単な説明】
【００１８】
【図１】本発明に係るロール状の連続接着テープの概略図である。
【図２】従来の連続接着テープの概略図である。
【図３】本発明に係る接着テープの概略断面図である。
【図４】本発明に係る接着テープの使用状況を示す説明図である。
【図５】従来の接着テープの概略断面図である。
【図６】従来の接着テープの使用状況を示す説明図である。
【図７】本発明に係る接着テープにおける印刷表示を示す図である。
【図８】本発明に係る接着テープにおけるＩＣチップ付着を示す図である。
【発明を実施するための形態】
【実施例】
【００１９】
以下、本発明に係る連続接着テープ及び接着テープの実施例について図面を参照して説明する。
【００２０】
第１実施例
図１は本発明に係るロール状の連続接着テープの概略図であり、（ａ）はその平面を示し、（ｂ）はその側断面を示す。
【００２１】
長さ約２４ｃｍ、幅約５ｃｍの情報表示テープ１ａ、１ｂがスリット（切れ目）４を介して長手方向に連なっている。図７に示すように、第１実施例の情報表示テープ１ａ、１ｂの片面には文字、数字、記号と１次元バーコード、２次元バーコードが印刷された情報表示５ａが人間の目やバーコードリーダーによって読取可能に配置されている。なお、情報表示テープの材質は、合成紙、ユポ紙、紙、プラスチックなどであり、平坦で印刷容易であり、目視やバーコードリーダーで読取容易であればよい。
【００２２】
情報表示テープ１ａ、１ｂの反対面の全面には接着剤２が塗布されている。
【００２３】
情報表示テープ１ａ、１ｂと同じ長さのセパレーターテープ３ａ、３ｂが、部分止め６を介して長手方向に連なっている。
【００２４】
そして、部分止め６を介して長手方向に連なっているセパレーターテープが長手方向にスリット４を介して連なっている情報表示テープの反対面の全面に塗布された接着剤を覆うように、互いに長手方向にのりしろ幅Ｗだけずれて積層されている。
【００２５】
第１実施例においては、部分止め６がテープ幅の中央の１点のみで接続され、他の部分は直線状に切れている。いわゆる１点止めである。
【００２６】
他の実施例においては、１点止めの代わりに２点止めや３点止めなどに変更しても良い。１点止めに比べて２点止めなどの場合にはセパレーターテープを引きちぎり分離するのに必要な力が大きくなり、接着剤と情報表示テープとの間に作用するせん断力や接着剤とセパレーターテープとの間に作用するせん断力は、より大きくなる。
【００２７】
次に、第１実施例のロール状の連続接着テープおよび接着テープの使用方法について説明する。
【００２８】
ロール状の連続接着テープを長手方向に引出し、その後に、長手方向に引っ張って、セパレーターテープを引きちぎる。その際に、のりしろ幅の部分については、せん断力によってセパレーターテープと接着剤との間は分離されるが、他の部分については、接着面積が圧倒的に広いため、単位面積あたりのせん断力（せん断応力(shear stress)）が小さく、セパレーターテープと接着剤とは分離しない。他方、情報表示テープは所定長さごとにスリットが設けられ、分離されているので、せん断力によって、情報表示テープと接着剤とは分離されない。
【００２９】
ロール状の連続接着テープを長手方向に引っ張ってセパレーターテープの部分止めを引きちぎり、分離して、図３に示すような接着テープが得られる。情報表示テープ１ａの一端近く（図３の右端）では、接着剤２がセパレーターテープによって覆われることなく、露出している。情報表示テープ１ａの他の部分では、接着剤２がセパレーターテープ３ａによって覆われている。そして、セパレーターテープの他端（図３の左端）には、接着剤２が付着していない。印刷表示である情報表示５ａは情報表示テープ１ａの片面に現れ、目視やバーコードリーダーで読取可能である。
【００３０】
接着テープの使用時の接着について、図４を参照して説明する。
図４（ａ）においては、情報表示テープ１ａの片面を外側にして丸め、セパレーターテープ３ａの自由端を円の外部に突出させ、情報表示テープ１ａの反対面の接着剤２の露出部分とセパレーターテープ３ａの自由端とを接触させ接着する。
曲線部分が少なく、接着部分が多く、接着部分の片面に印刷表示を配置する場合に好適である。たとえば、ボールペン、万年筆や樹木やメガネや靴や指輪や航空機手荷物の取っ手や新生児の足や家畜の脚やマラソン大会参加者の腕や入院患者の足首などへ取り付け、タグとして利用することができる。
【００３１】
図４（ｂ）においては、情報表示テープ１ａの片面を外側にして丸め、セパレーターテープ３ａの自由端を円の内側へ差し込み、情報表示テープの接着剤露出端の接着剤と情報表示テープの他端の片面とを接触させて接着する。フレコンバッグの取っ手や白菜、ホウレンソウの結束や自動車のサイドミラーなどへ取り付け、情報表示として利用することができる。
【００３２】
第２実施例
第２実施例のロール状の接着テープの情報表示テープにおいては、ＩＣチップが取り付けられている。
【００３３】
図８において、情報表示テープの反対面の一部に、柔軟性のある薄型のＩＣチップ１０を配置し、その後に、接着剤を情報表示テープの反対面の全面に塗布している。ＩＣチップを配置している部分においては、情報表示テープ、接着剤、ＩＣチップの順に積層されている。ＩＣチップが配置されている場所がわかるように、ＩＣチップに対応した情報表示テープの片面に表示を印刷しても良い。
【００３４】
第２実施例のロール状の接着テープの構造は、ＩＣチップの配置を除けば、第１実施例と同様である。
【００３５】
第２実施例のロール状接着テープから接着テープをちぎり取る方法も、第１実施例と同様である。
【００３６】
第２実施例の接着テープの利用方法も、第１実施例と同様である。
【００３７】
第３実施例
第３実施例のロール状の連続接着テープにおいては、第１実施例のロール状の連続接着テープとの相違は、セパレーターテープが部分止めを介して長手方向に連なっているのではなく、情報表示テープが部分止めを介して長手方向に連なっていることである。その他については、第１実施例のロール状の連続接着テープと同様である。
【００３８】
第４実施例
第４実施例のロール状の連続接着テープにおいては、第２実施例のロール状の連続接着テープとの相違は、セパレーターテープが部分止めを介して長手方向に連なっているのではなく、情報表示テープが部分止めを介して長手方向に連なっていることである。その他については、第２実施例のロール状の連続接着テープと同様である。
【００３９】
第１実施例、第２実施例、第３実施例、第４実施例においては、連続接着テープがロール状の連続接着テープであるが、ファンフォールド状の連続接着テープに変更することもできる。
【産業上の利用可能性】
【００４０】
ＩＣチップを利用することによって、多量の情報を物品に取り付けることができ、ＲＦＩＤ(radio frequency identification)を利用して、ＩｏＴ(Internet Of Things)を促進し、ビッグデータとして利活用して、トレイサビリティの向上や物流情報の活用に大いに価値を付加し貢献できる。
【符号の説明】
【００４１】
１ａ、１ｂ、１ｃ、１ｄ  情報表示テープ
２、２ａ、２ｂ、２ｃ  接着剤
３、３ａ、３ｂ  セパレーターテープ
４  スリット
５ａ、５ｃ、５ｄ  情報表示
６  部分止め
１０  ＩＣチップ
【図１】
2020143234.tif 000003
【図２】
2020143234.tif 000004
【図３】
2020143234.tif 000005
【図４】
2020143234.tif 000006
【図５】
2020143234.tif 000007
【図６】
2020143234.tif 000008
【図７】
2020143234.tif 000009
【図８】
2020143234.tif 000010